(57)【要約】【課題】パッティングの成功率を高めることができるゴルフパター及びゴルフパターヘッドを提供する。【解決手段】本発明を適用したゴルフパターヘッドの一例であるパター１は、パターヘッド２とシャフト６を備えている。また、パターヘッド２は、フェース面３とパター上面４と凸部５を備えている。パター上面４の面上には、目標線平行ライン８の近傍に、許容角ライン１０が設けられている。許容角ライン１０は、フェース面３の面と略直交する方向と５．６１度の角度をなす向きに設けられている。【選択図】図４
2015039519.tif 000002
【特許請求の範囲】
【請求項１】
略垂直に形成された第１の面と、平面視で該第１の面と略直交する方向から所定の角度をなす許容角マーカーが設けられた第２の面とを有するヘッド部材と、
該ヘッド部材の前記第２の面側から延出して設けられたシャフトとを備える
ゴルフパター。
【請求項２】
前記ヘッド部材の前記許容角マーカーの所定の角度は、θ２を前記第１の面で打たれる球状体が転がるべき最大角度としたときに、下記の式（１）〜（３）で求められるθ１である
請求項１に記載のゴルフパター。
θ２＝ａ×θ１＋ｂ・・・（１）
０．３５≧ａ≧０．３２・・・（２）
０．２１≧ｂ≧０．０４・・・（３）
【請求項３】
前記ヘッド部材の前記許容角マーカーの所定の角度は、０度から５．６１度の角度範囲内である
請求項１または請求項２に記載のゴルフパター。
【請求項４】
前記ヘッド部材の前記第２の面は平面視で前記第１の面と略直交する方向と略平行な基準マーカーが設けられた
請求項１、請求項２または請求項３に記載のゴルフパター。
【請求項５】
前記ヘッド部材の前記許容角マーカーは、前記第２の面の中央近傍かつ前記第１の面と対向する側から設けられた
請求項１、請求項２、請求項３または請求項４に記載のゴルフパター。
【請求項６】
前記ヘッド部材は前記第２の面の少なくとも一部かつ略中央に凹部が形成された
請求項１、請求項２、請求項３、請求項４または請求項５に記載のゴルフパター。
【請求項７】
前記ヘッド部材は、前記第２の面と対向する側の少なくとも一部に前記第１の面と略直交する領域が設けられた
請求項１、請求項２、請求項３、請求項４、請求項５または請求項６に記載のゴルフパター。
【請求項８】
前記ヘッド部材は、略Ｌ字型に形成され前記第１の面及び前記第２の面を繋ぐ凸部領域を有し、
前記凸部領域の前記第２の面と同じ側には前記第１の面のスイートエリアに対応するエリアマーカーが設けられた
請求項１、請求項２、請求項３、請求項４、請求項５、請求項６または請求項７に記載のゴルフパター。
【請求項９】
略垂直に形成された第１の面を有すると共に、その上面に、平面視で前記第１の面と略直交する方向から所定の角度をなす許容角マーカーが設けられたヘッド部材と、
該ヘッド部材から延出して設けられたシャフトとを備える
ゴルフパター。
【請求項１０】
略垂直に形成された第１の面と、
平面視で該第１の面と略直交する方向から所定の角度をなす許容角マーカーが設けられた第２の面とを備える
ゴルフパターヘッド。
【請求項１１】
略垂直に形成された第１の面を有すると共に、その上面に、平面視で前記第１の面と略直交する方向から所定の角度をなす許容角マーカーが設けられた
ゴルフパターヘッド。
【発明の詳細な説明】
【技術分野】
【０００１】
本発明は、ゴルフパター及びゴルフパターヘッドに関する。詳しくは、パッティングの成功率を高めることができるゴルフパター及びゴルフパターヘッドに係るものである。
【背景技術】
【０００２】
ゴルフパターは、主としてグリーン上でボールを転がしてカップに入れるためのゴルフクラブである。パッティングの巧拙は、スコアに大きく影響する。そのため、パッティングの成功率の向上を目的にゴルフパターや練習用具には様々な工夫がなされている。
【０００３】
例えば、パッティングの基本の１つとして、カップとボールを結ぶ目標線と、パターヘッドの打球面と直交しかつスイートエリアを通る打球線を合わせ、パターをストロークしてボールを打ち出すことが求められる。なお、スイートエリアとは、インパクト時にボールの初速度を一定の速さで保てるエリアを意味する。
【０００４】
しかし、プレーヤーの効き目から頭部がパターヘッドのトウ側（先端側）に位置すると、パターヘッドをこの視線方向に向けてアドレスし、この方向に沿ってバックスイングする傾向がある。その結果、ボールは目標線に対して左側にそれてしまう。
【０００５】
また、プレーヤーの効き目から頭部がパターヘッドのヒール側（手前側）に位置する場合には、トゥ側に位置する場合とは反対に、ボールが目標線の右側にそれやすいことが経験上知られている。このため、プレーヤーの効き目から頭部は、パターヘッドの打球線上に位置させることがパッティングの成功において重要とされている。
【０００６】
こうしたなか、効き目から頭部を常に一定の位置においてストロークすることが可能なゴルフパターが存在し、例えば、特許文献１に記載のゴルフパターが提案されている。
【０００７】
ここで、特許文献１には、図８に示すようなゴルフパター１００が記載されている。ゴルフパター１００は、シャフト１０１と、パターヘッド１０２を有している。また、パターヘッド１０２は、打球面１０３の後方の延在部材１０４上に、パターヘッド底部のソール面に対して垂直に立ち上がる立上がり片１０５が設けてられている。
【０００８】
また、立上がり片１０５は、パターヘッド１０２における打球面１０３と直交し、かつスイートスポット１０６を通る打球線（ａ）上に設けられている。また、その両側のパターヘッド１０２の上面に、それぞれ帯状マーカー１０７，１０７'が設けられている。
【０００９】
また、立上がり片１０５の高さ及びマーカー１０７，１０７'の位置は、プレーヤーの効き目から頭部が打球線（ａ）上にないとき、視線が立ち上がり片１０５に妨げられ、マーカー１０７，１０７'の全部又は一部が視認できないように設定されている。
【００１０】
ゴルフパター１００では、パッティング時に、立ち上がり片１０５を挟んで両側の帯状マーカー１０７，１０７'が全て見えるように頭を動かせば、その頭の位置はパターヘッド１０２の打球線（ａ）上にあることになる。この頭の位置でストロークすれば、パター成功率は向上するものとされている。
【先行技術文献】
【特許文献】
【００１１】
【特許文献１】特開２００８―４３７２２号公報
【発明の概要】
【発明が解決しようとする課題】
【００１２】
しかしながら、特許文献１に記載のゴルフパターは、アドレス時の頭の位置を打球線上に合わせやすいものとはなっているが、パターヘッドのストロークの軌道をプレーヤーが意識できる構造にはなっていない。
【００１３】
ここで、パッティングで、目標となるカップにボールを真っ直ぐに転がす為には、３つの条件が必要となると考えられている。１つ目は、ボールとカップを結ぶ目標線に対して、パターフェース面が直角であること。２つ目は、インパクト時に、パターフェース面のスウィートエリアとボールの中心が一致することである。
【００１４】
また、３つ目は、パターの軌道が目標線に対して均等な入射角と出射角を形成することである。３つ目の条件を満たすパターの軌道としては、カップに対してパターを真っ直ぐ引いて、真っ直ぐ出すことが最も基本となる。
【００１５】
これら３つの条件の中でも、パターの軌道に関する条件は、アドレスの開始からインパクト後のフォロースルーまでの一連の動きに求められるものであり、難易度が高いものと言える。前述したように、特許文献１に記載のゴルフパターは、この３つ目の条件を満たしやすくする構造とはなっていない。
【００１６】
また、従来品のゴルフパターには、パターを真っ直ぐ引いて、真っ直ぐ出す軌道を意識しやすくするものが存在する。例えば、パター上面に、フェース面に平行な線とその線に直角な線から構成された略Ｔ字の線が刻印されたパターや、フェース面に直角な線を複数設けたパターがある。
【００１７】
このような従来品のパターは、カップに対してパターを真っ直ぐ引く目印にはなるが、ストロークの動作自体は、真っ直ぐに狂いのない軌道で動かすものとなる。プレーヤーは、厳密な軌道を要求されることから、緊張感が生まれ、却ってパッティングの成功率を下げてしまう恐れがある。
【００１８】
また、パッティング時のパターの軌道には、ボールを基準として、インサイドイン、アウトサイドイン、インサイドアウト等の複数の軌道が存在する。これらの軌道も考慮した場合、目標線に対する入射角度及び出射角度がパッティングの成功率の向上に重要となってくる。
【００１９】
本発明は、以上の点に鑑みて創案されたものであり、パッティングの成功率を高めることができるゴルフパター及びゴルフパターヘッドを提供することを目的とする。
【課題を解決するための手段】
【００２０】
本発明者は、ゴルフパターの開発に先駆けて、パッティング時のボール自体の動きに着目し、ボールのコントロール技術に関する研究を行った。具体的には、ボールの打点やボールに加わる力の大きさと向きによって、ボールの転がる力と出射方向について一定の法則性が存在すると考えた。
【００２１】
本発明者の検討より以前にも、幾つかのゴルフボールの出射方向に関する説が提示されている。ある説では、ゴルフパターによるボールの出射方向は、目標線に対してパターフェース面を直角にインパクトした際に、パターの軌道と目標線のなす入射角が３０度の場合には、ボールが目標線を基準に５〜６度の出射角方向に転がるとされている。
【００２２】
また、別の説では、パターの入射角が１０度の場合には、ボールが出射角２度の方向に転がるものとされている。即ち、何れの場合にも、目標線に対してパターフェース面を直角にインパクトした際には、ボールはパターの入射角の軌道方向にそのまま転がるのではなく、入射角よりもやや小さくなった出射角の方向に転がるものと考えられていた。その出射角と入射角を比で表すと、１：５または１：６であることが通説であったと言える。なお、ここでいう角度の比について角度方向性と称する。
【００２３】
しかしながら、従来の角度方向性に関する説は、複数の入射角に対して検証が積み重ねられて得られたものではなく、本発明者らは、パターの軌道とボールの出射方向の関係性を明らかにする必要があると考えた。
【００２４】
パターの入射角とボールの出射角の関係を確かめるために、以下の試験を行った。この試験では、ボール打点及びボールに加える力を一定にし、ボールに力を与える加力面の入射角を変えて、ボールが転がる出射角について測定を行った。
【００２５】
（ボールの出射角度及び出射幅の測定試験）
より詳細には、図１に示すようなボールと紙を用いて試験を行った。図１では、ボール２００を紙の上に置き、ボール２００の中央点を通る垂線を基準線２０１として記載した。基準線２０１はボール２００の前方と後方に向けて引かれている。そして、基準線２０１を角度０度として、ボール２００の出射方向と、ボールに力を加える器具の入射方向に、５度刻みで４５度まで角度線２０２を記載した。この器具を打ち出す角度を「入射角」、ボールが打ち出された角度を「出射角」とする。
【００２６】
また、ボール２００に力を加える器具として、図２に示すような手動器具２０３を用いた。手動器具２０３は、平坦な加力面２０４を有している。加力面２０４は、面の向きの角度調節が可能であり、基準線２０１に対して、加力面２０４を略垂直な向きに設定することができる。これにより、手動器具２０３の入射角を変えても、ボール２００に対して、常に真っ直ぐの向きで加力面２０４を当てることが可能となっている。
【００２７】
また、加力面２０４は異なる材質のものに変更可能であり、本試験では、材質による影響も確認するために、ポリプロピレン、鉄、木を用いた加力面２０４を準備した。また、ボール２００を置いた位置から基準線２０１に沿って５０ｃｍ先に基準線２０１と直交する向きにメジャー２０５を設置した。
【００２８】
次に、本試験の手順について説明する。まず、ボール２００の打ち出しは、手動器具２０３の加力面２０４が基準線２０１に略直交する向きでボール２００の中央点にあたるように、水平に器具を打ち出した。また、打ち出し時には、入射角の角度線上を手動器具２０３の中心が通る軌道とした。
【００２９】
打ち出されたボール２００がメジャー２０５を通過した位置と基準線２０１との間の距離を変位距離（Ｘ）として読み取り、０．１ミリ単位まで計測した。この変位距離（Ｘ）を「出射幅」とした。また、出射角は、ボール２００からメジャー２０５までの距離５０ｃｍと、出射幅（Ｘ）を元に三角法で求めた。また、入射幅は、出射角と同様に、入射角の値及び５０ｃｍの値を元に三角法で求めた。なお、１つの角度において１０回の測定を行い、材質の異なる３種類の加力面２０４でそれぞれ計測した。
【００３０】
また、計測結果から、入射角と出射角をプロットしてグラフを作成した。統計処理には、相関係数を出し、全検定で危険率５％未満を有意とした。また、独立変数を入射角、従属変数を出射角として一次回帰式を求めた。本試験の結果を図３に示す。
【００３１】
図３（ａ）は、ボールの出射角と入射角の関係を示すグラフである。グラフの横軸が入射角、縦軸が出射角を示している。また、図３（ａ）は、ポリプロピレン２０６、鉄２０７、木２０８の３種類の材質を用いた加力面２０４の結果のグラフを示している。
【００３２】
図３（ａ）に示すように、ポリプロピレン２０６では、ｙ＝０．３５ｘ＋０．２１、鉄２０７では、ｙ＝０．３２ｘ＋０．１８、そして、木２０８では、ｙ＝０．３４ｘ＋０．０４の一次回帰式が得られた。いずれも相関係数ｒ＝０．９９７以上で、危険率ｐ＜０．００１であった。また、加力面２０４の材質による出射角の差はほとんど見られなかった。
【００３３】
図３（ａ）の結果から、例えば、手動器具２０３の入射角が３０度である場合には、出射角は、ポリプロピレン２０６では１０．７１度、鉄２０７では９．７８度、木２０８では１０．２４度となる。即ち、概算すると、角度方向性は１：３となり、これまでの通説とは異なる角度方向性となることが明らかとなった。
【００３４】
また、図３（ｂ）は、出射幅と入射幅の関係を示すグラフである。グラフの横軸が入射幅、グラフの縦軸が出射幅を示している。また、図４には、ポリプロピレン２０９、鉄２１０、木２１１の３種類の材質を用いた加力面２０４の結果を示している。
【００３５】
図３（ｂ）に示すように、ポリプロピレン２０９では、ｙ＝０．２８ｘ＋０．７３、鉄２１０では、ｙ＝０．２６ｘ＋０．６５、そして、木２１１では、ｙ＝０．２７ｘ＋０．５６の一次回帰式が得られた。いずれも相関係数ｒ＝０．９９６以上で、危険率ｐ＜０．００１であった。また、加力面２０４の材質による出射幅の差はほとんど見られなかった。
【００３６】
図３（ｂ）の結果から、例えば、手動器具２０３の入射幅が３０ｃｍである場合には、出射幅は、ポリプロピレン２０９では９．１３ｃｍ、鉄２１０では８．４５ｃｍ、木２１１では８．６６ｃｍとなる。即ち、概算すると、出射幅と入射幅の比は、１：４となるものであった。なお、ここでいう幅の比について距離方向性と称する。
【００３７】
以上の試験結果から、手動器具２０３の入射角とボール２００の出射角の関係には、角度方向性の１：３の法則、及び距離方向性の１：４の法則が成り立つことが明らかとなった。特に、ボールの出射角については、これまでの通説と異なる角度にボールが転がるものであり、パターの軌道とボールの出射方向の関係性に関する知見が得ることができた。
【００３８】
前述の試験結果が得られたことから、ゴルフパターへの知見の応用が考えられる。特に、理想的なパターの軌道をプレーヤーが容易に認識することが可能なゴルフパターへの応用が可能である。
【００３９】
上記の目的を達成するために、本発明のゴルフパターは、略垂直に形成された第１の面と、平面視で該第１の面と略直交する方向から所定の角度をなす許容角マーカーが設けられた第２の面とを有するヘッド部材と、該ヘッド部材の前記第２の面側から延出して設けられたシャフトとを備える。
【００４０】
ここで、略垂直に形成された第１の面によって、対象物を面と接触させて打ち出すことが可能となる。即ち、ゴルフボールを第１の面と接触させて打ち出して転がすことができる。
【００４１】
また、略垂直に形成された第１の面によって、ボールを転がしたい目標方向に対して第１の面を直角に向けることができる。即ち、パッティングで真っ直ぐボールを転がすために求められるパターフェース面を目標線に対して直角に向ける条件を満たすことができる。なお、略垂直とは、平坦な地面に対して完全な９０度の方向のみを意味するものではなく、９０度の角度から前後に数度ずれた角度範囲を含むものである。
【００４２】
また、平面視で第１の面と略直交する方向から所定の角度をなす許容角マーカーが設けられた第２の面によって、パターのストローク軌道をプレーヤーにイメージさせやすくすることができる。即ち、第２の面上の許容角マーカーを目印として、その延長線上をプレーヤーが意識することで、パターのストローク軌道として利用することができる。
【００４３】
また、ヘッド部材の第２の面側から延出して設けられたシャフトによって、ゴルフパターを振ることができる。即ち、シャフトを介して、パターを振ってパターヘッドを移動させることでボールを打ち出すことが可能となる。
【００４４】
また、ヘッド部材の許容角マーカーの所定の角度が、θ２を第１の面で打たれる球状体が転がるべき最大角度としたときに、下記の式（１）〜（３）で求められるθ１である場合には、ボールを転がしたい角度方向に応じたパターのストローク軌道をプレーヤーにイメージさせやすくすることができる。即ち、ボールをθ２の方向に転がす際に、取るべきパターのストローク軌道を第２の面に設けることとなり、プレーヤーのボールコントロール技術を向上させることが可能となる。なお、式（１）はθ２＝ａ×θ１＋ｂ、式（２）は０．３５≧ａ≧０．３２、式（３）は０．２１≧ｂ≧０．０４である。
【００４５】
また、ヘッド部材の許容角マーカーの所定の角度が、０度から５．６１度の角度範囲内である場合には、概ね０度から１．８７度の角度範囲にボールを転がしやすくすることができる。ここで、１．８７度とは、ゴルフのカップの半径及びゴルフボールの半径から算出された、カップから１ｍ離れたボールが打ち出されてカップに入ることが可能なボールの出射角度である。つまり、１．８７度以下が、ボールがカップに入るために許容される最大の出射角度であり、５．６１度は、その出射角度にボールを転がすために許容されるパター軌道の最大入射角度である。この許容角マーカーを目印にパターのストローク軌道をとることで、カップから１ｍ以内のパッティングの成功率を高めることができる。
【００４６】
また、ヘッド部材の許容角マーカーの所定の角度が、０度から５．６１度の角度範囲内である場合には、パッティング時のプレーヤーの緊張感を和らげることができる。即ち、一定範囲の角度内でパターをストロークできるため、プレーヤーの心理的負担を減らすことができる。
【００４７】
また、ヘッド部材の第２の面が平面視で第１の面と略直交する方向と略平行な基準マーカーが設けられた場合には、ボールを転がしたい目標方向と、基準マーカーの向きを合わせることで、第１の面を目標線に対して直角に向けやすくなる。即ち、第１の面とボールとのインパクト時に第１の面の向きをぶれにくくすることができる。
【００４８】
また、ヘッド部材の許容角マーカーが、第２の面の中央近傍かつ第１の面と対向する側から設けられた場合には、許容角マーカーを視認しやすくすることができる。即ち、パッティング時には、プレーヤーは、パターヘッドを上方から見下ろす姿勢となり、第１の面とは反対側、いわゆるフランジ側、かつ中央の部分に視線を落としやすくなる。この結果、アドレス時に許容角マーカーが視認しやすくなり、より一層、パターのストローク軌道を安定させることができる。
【００４９】
また、ヘッド部材は第２の面の少なくとも一部かつ略中央に凹部が形成された場合には、ヘッド部材のトゥ側及びヒール側に重量を配分させることができる。即ち、ヘッド部材の慣性モーメントが大きくなり、ボールとのインパクト時にパターヘッドをぶれにくくすることができる。
【００５０】
また、ヘッド部材の第２の面と対向する側の少なくとも一部に第１の面と略直交する領域が設けられた場合には、アドレス時にパターヘッドを平坦な面に載置しやすくなり、パターを安定させることができる。即ち、第１の面をボールに対して略直交する方向に向けやすくなり、パッティングの動作を容易にすることができる。
【００５１】
また、ヘッド部材が、略Ｌ字型に形成され第１の面及び第２の面を繋ぐ凸部領域を有する場合には、第２の面を一層視認しやすくなり、パターのストローク軌道を安定させることができる。
【００５２】
また、ヘッド部材は、略Ｌ字型に形成され第１の面及び第２の面を繋ぐ凸部領域を有し、凸部領域の第２の面と同じ側には第１の面のスイートエリアに対応するエリアマーカーが設けられた場合には、第１の面のスイートエリアの位置でボールを打ち出しやすくなる。即ち、インパクト時にパターヘッドがぶれにくくなり、パットの正確性を高めることができる。なお、前述したが、スイートエリアとは、インパクト時にボールの初速度を一定の速さで保てるエリアである。
【００５３】
また、ヘッド部材は、略Ｌ字型に形成され第１の面及び第２の面を繋ぐ凸部領域を有し、凸部領域の第２の面と同じ側には第１の面のスイートエリアに対応するエリアマーカーが設けられた場合には、打ち出すボールの軌道をコントロールしやすくなる。例えば、スイートエリアのトゥ側でボールをインパクトすると、パターヘッドは重心を中心に時計方向に回転し、ボールは狙い目の右側に外れる軌道となる。また、スイートエリアのヒール側でボールをインパクトすると、パターヘッドは重心を中心に反時計方向に回転し、ボールは狙い目の左側に外れる軌道となる。
【００５４】
また、上記の目的を達成するために、本発明のゴルフパターは、略垂直に形成された第１の面を有すると共に、その上面に、平面視で前記第１の面と略直交する方向から所定の角度をなす許容角マーカーが設けられたヘッド部材と、該ヘッド部材から延出して設けられたシャフトとを備える。
【００５５】
ここで、略垂直に形成された第１の面を有すると共に、その上面に、平面視で第１の面と略直交する方向から所定の角度をなす許容角マーカーが設けられたヘッド部材によって、パターのストローク軌道をプレーヤーにイメージさせやすくすることができる。即ち、許容角マーカーを目印として、その延長線上をプレーヤーが意識することで、パターのストローク軌道として利用することができる。
【００５６】
また、上記の目的を達成するために、本発明のゴルフパターヘッドは、略垂直に形成された第１の面と、平面視で該第１の面と略直交する方向から所定の角度をなす許容角マーカーが設けられた第２の面とを備える。
【００５７】
ここで、略垂直に形成された第１の面によって、ボールを転がしたい目標方向に対して第１の面を直角に向けることができる。即ち、パッティングで真っ直ぐボールを転がすために求められるパターフェース面を直角に向ける条件を満たすことができる。
【００５８】
また、平面視で第１の面と略直交する方向から所定の角度をなす許容角マーカーが設けられた第２の面によって、パターのストローク軌道をプレーヤーにイメージさせやすくすることができる。即ち、第２の面上の許容角マーカーを目印として、その延長線上をプレーヤーが意識することで、パターのストローク軌道として利用することができる。
【００５９】
また、上記の目的を達成するために、本発明のゴルフパターヘッドは、略垂直に形成された第１の面を有すると共に、その上面に、平面視で前記第１の面と略直交する方向から所定の角度をなす許容角マーカーが設けられている。
【００６０】
ここで、平面視で第１の面と略直交する方向から所定の角度をなす許容角マーカーが設けられたことによって、パターのストローク軌道をプレーヤーにイメージさせやすくすることができる。即ち、許容角マーカーを目印として、その延長線上をプレーヤーが意識することで、パターのストローク軌道として利用することができる。
【発明の効果】
【００６１】
本発明に係るゴルフパターは、パッティングの成功率を高めることができるものとなっている。
また、本発明に係るゴルフパターヘッドは、パッティングの成功率を高めることができるものとなっている。
【図面の簡単な説明】
【００６２】
【図１】ボールの出射角度及び出射幅の測定試験に用いた紙及びボールを示す概略図である。
【図２】手動器具を示す概略斜視図である。
【図３】ボールの出射角と入射角の関係を示すグラフ（ａ）及び出射幅と入射幅の関係を示すグラフ（ｂ）である。
【図４】ゴルフパターヘッドの平面図（ａ）及び底面図（ｂ）である。
【図５】ゴルフパターヘッドの背面図（ａ）及び正面図（ｂ）である。
【図６】ゴルフパターヘッドのトゥ側の側面図（ａ）及びヒール側の側面図（ｂ）である。
【図７】１ｍのパッティング時のパターの軌道を示す概略図である。
【図８】従来のゴルフパターを示した概略図である。
【発明を実施するための形態】
【００６３】
以下、ゴルフパターに関する本発明の実施の形態について図面を参照しながら説明し、本発明の理解に供する。
図４は、ゴルフパターヘッドの平面図（ａ）及び底面図（ｂ）である。図５は、ゴルフパターヘッドの背面図（ａ）及び正面図（ｂ）である。図６は、ゴルフパターヘッドのトゥ側の側面図（ａ）及びヒール側の側面図（ｂ）である。
【００６４】
ここで、図４に示すように、本発明を適用したゴルフパターヘッドの一例であるパター１は、パターヘッド２とシャフト６を備えている。また、パターヘッド２は、フェース面３とパター上面４と凸部５を備えている。
【００６５】
また、フェース面３は、パッティング時にボールを打ち出す面であり、約３度のロフト角が凸部５側に傾斜して形成されている。また、パターヘッド２はアルミニウムで形成されている。なお、ロフト角とはフェース面の傾斜角を指す。
【００６６】
また、パター上面４は、パッティング時にプレーヤーが視認可能な面である。また、パター上面４の略中央部には、半円柱状の凹部７が形成されている。半円柱状の凹部７により、パターヘッド２のトゥ側及びヒール側に重量が配分される。
【００６７】
また、半円柱状の凹部７の両端の縁の部分は、フェース面３の面と略直交する方向の目標線平行ライン８となっている。目標線平行ライン８は、ボールとカップを結ぶ目標線と平行に合わせることで、パター１をストロークする際の目安となる。
【００６８】
パター１におけるフェース面３と反対側をフランジ側９とする。パター上面４の面上には、目標線平行ライン８の近傍に、許容角ライン１０が設けられている。許容角ライン１０は、フェース面３の面と略直交する方向と５．６１度の角度をなす向きに設けられている。即ち、許容角ライン１０は、目標線平行ライン８との間にも５．６１度の角度を成すものとなっている。
【００６９】
また、許容角ライン１０は、凸部５とフランジ側９の間に設けられている。許容角ライン１０は、ボールとカップとの間の距離が１ｍ以内である際のパター１のストロークの目安となるラインである。許容角ライン１０に関する詳細は、後述の本発明に係るパターの使用方法において説明する。
【００７０】
また、パター上面４の面上には、目標線平行ライン８の近傍に、補助ライン１１及び補助ライン２５が設けられている。補助ライン１１は、フェース面３の面と略直交する方向と３２．７度の角度をなす向きに、補助ライン２５は、３１．１度の角度をなす向きに、それぞれ設けられている。補助ライン１１及び補助ライン２５も許容角ライン１０と同様に、パター１のストロークの目安となるラインである。
【００７１】
また、凸部５の上面には、スウィートエリアライン１２（１５、１６、１７）が略中央部に３本設けられている。スウィートエリアライン１２は、フェース面３におけるスウィートエリアの位置と対応させた目印のラインである。
【００７２】
また、シャフト６は、パターヘッド２に取り付けられ上部方向に延出した棒状体であり、プレーヤーが握る部分にグリップ（図示せず）が設けられている。シャフト６を介して、パター１を振ることが可能となる。
【００７３】
また、パター１の重心は、シャフト６及びグリップ（図示せず）の重量により、パター１の中心から、わずかにヒール側にずれて位置している。そのため、半円柱状の凹部７は、パターヘッド２の中心部ではなく、そこからヒール側に２ｍｍずれて形成されている。
【００７４】
ここで、必ずしも、パターヘッド２が凸部５を備える必要はない。但し、プレーヤーがフェース面３を視認しやすくなり、かつ、ストローク時にフェース面３を感じながらパッティングすることが可能となるため、パターヘッド２が凸部５を備えることが好ましい。
【００７５】
また、必ずしも、フェース面３に約３度のロフト角が凸部５側に傾斜して形成される必要はない。約３度のロフト角はパターにおける基本の角度の１つであり、例えば、２〜５度の角度範囲等も採用しうる。
【００７６】
また、必ずしも、パターヘッド２がアルミニウムで形成される必要はなく、その素材が限定されるものではない。但し、ヘッド容積が大きくなり、ヘッドのぶれが少なくなる点から、パターヘッド２がアルミニウムで形成されることが好ましい。
【００７７】
また、パター上面４は、パッティング時にプレーヤーが視認可能かつ、許容角ライン１０が綺麗に見えるものであれば充分である。例えば、パター上面４は平坦な面に限られず、凹凸を有するものが採用されてもよい。
【００７８】
また、必ずしも、パター上面４の略中央部に半円柱状の凹部７が形成される必要はない。但し、パターヘッド２のトゥ側及びヒール側に重量を配分させ、パターヘッド２をぶれにくくすることができる点から、パター上面４の略中央部に半円柱状の凹部７が形成されることが好ましい。
【００７９】
また、必ずしも、フェース面３の面と略直交する方向の目標線平行ライン８が設けられる必要はない。但し、ボールとカップを結ぶ目標線に対して目標線平行ライン８を合わせ、パター１をストロークしやすくなる点から、フェース面３の面と略直交する方向の目標線平行ライン８が設けられることが好ましい。
【００８０】
また、必ずしも、半円柱状の凹部７の両端の縁の部分は、フェース面３の面と略直交する方向の目標線平行ライン８とされる必要はない。半円柱状の凹部７の両端の縁とは別に、パター上面４のいずれかの位置に目標線平行ライン８を設ける構造も考えられる。
【００８１】
また、必ずしも、許容角ライン１０が、フェース面３の面と略直交する方向と５．６１度の角度をなす向きに設けられる必要はなく、ボールを転がしたい方向から決まる任意の最大許容角度とすることが可能である。但し、１ｍ以内のパッティングの成功率を高めることを目的とする場合には、許容角ライン１０が、フェース面３の面と略直交する方向と５．６１度の角度をなす向きに設けられることが好ましい。
【００８２】
また、必ずしも、許容角ライン１０が凸部５とフランジ側９の間に設けられる必要はない。但し、フランジ側から設けることで、プレーヤーがラインを視認しやすくなる点から、許容角ライン１０が凸部５とフランジ側９の間に設けられることが好ましい。
【００８３】
また、許容角ライン１０は、プレーヤーが視認可能なものであれば、その構造は特に限定されるものではない。例えば、単純にパター上面４に色つきの線を着色して表示することもできる。また。パター上面４に溝を刻設し、許容角ライン１０とすることもできる。また、許容角ライン１０と目標線平行ライン８を合わせて三角形を形作る構造も考えられる。
【００８４】
また、必ずしも、パター上面４の面上に補助ライン１１及び補助ライン２５が設けられる必要はない。但し、許容角ライン１０とは別に、ボールを転がしたい方向を反映させた目印を増やし、パター１の使い勝手を向上させる点から、パター上面４の面上に補助ラインが設けられることが好ましい。
【００８５】
また、凸部５の上面にスウィートエリアライン１２が設けられる必要はない。但し、パッティング時に、フェース面３のスウィートエリアでボールを捉えやすくなる点及びスウィートエリアとボールの接触位置を変え、ボールの軌道を調製しやすくなる点から、凸部５の上面にスウィートエリアライン１２が設けられることが好ましい。
【００８６】
また、必ずしも、半円柱状の凹部７が、パターヘッド２の中心部からヒール側に２ｍｍずれて形成される必要はない。但し、パター１全体の重心位置及び半円柱状の凹部７に対応させたスウィートエリアをフェース面３に形成できる点から、半円柱状の凹部７が、パターヘッド２の中心部からヒール側に２ｍｍずれて形成されることが好ましい。
【００８７】
図４（ｂ）に示すように、パター１の底面は、側面から中央方向に向けて傾斜が形成されている。また、パター１の底面の略中央領域１３は平坦な面に形成されている。
【００８８】
ここで、必ずしも、パター１の底面の略中央領域１３が平坦な面に形成される必要はない。但し、アドレス時にパターを安定させることができる点から、パター１の底面の略中央領域１３が平坦な面に形成されることが好ましい。
【００８９】
図５（ａ）に示すように、シャフト６は、ライ角度が６８度になるように形成されている。なお、ライ角度とは、パター１の地面に真っ直ぐに置いた時のシャフト６とパターヘッド２が作る角度をいう。
【００９０】
また、パター１の凸部５からフランジ側９の領域にかけて、半円柱の凹部７が形成されている。また、パターヘッド２の両側面には窪み１８が設けられている。
【００９１】
ここで、必ずしも、シャフト６が、ライ角度が６８度になるように形成される必要はない。一般的にはパターのライ角度は７０度や７２度が採用されることが多く、この角度に限定されるものではない。但し、インパクト時にパターのトゥ側が下がるプレーヤーが多く、ライ角度をフラットに調整することで、ボールを真っ直ぐ転がしやすくなる点から、シャフト６が、ライ角度が６８度になるように形成されることが好ましい。
【００９２】
また、必ずしも、パターヘッド２の両側面には窪み１８が設けられる必要はない。但し、ゴルフのルールの世界基準を規定する団体であるＲ＆Ａ（ＲｏｙａｌａｎｄＡｎｃｉｅｎｔＧｏｌｆＣｌｕｂｏｆＳｔＡｎｄｒｅｗｓ）が認めるパターは、原則、パターの打面が２面以下のものとなっている。パターヘッド２の両側面に窪み１８を設けることで打面とならず、Ｒ＆Ａの基準に合致したパターとすることができる。また、両側面の構造としては、窪み１８を設けた形状に限定されるものではない。
【００９３】
図５（ｂ）に示すように、パター１のフェース面３は、約３度のロフト角を有する略平坦な面に形成されている。また、フェース面３の略中央領域に、点線でパター１のスウィートエリア１４を示している。
【００９４】
スウィートエリア１４は、パター１のフェース面３におけるインパクト時にボールの初速度を一定の速さで保てるエリアである。このエリアにボールを当てることで、ボールとのインパクト時にパターヘッド２がぶれにくくなり、正確にボールを打ち出すことが可能となる。
【００９５】
パター１のスウィートエリア１４は、パター１のリーディングエッジ（底面側の端部）側のトゥ側点１５、トップエッジ側（上部側の端部）のトゥ側点１６、及びトップエッジ側のヒール側点１７から特定される領域である。図５（ｂ）では、斜線の領域がスウィートエリア１４を示している。
【００９６】
また、トゥ側点１５、トゥ側点１６、及びヒール側点１７の位置は、前述した凸部５の上面のスウィートエリアライン１２（１５、１６、１７）の３本の線の位置と対応している。
【００９７】
図６（ａ）及び図６（ｂ）に示すように、フェース面３は、約３度のロフト角が凸部５側に傾斜して形成されている。また、パターヘッド２の両側面には窪み１８が設けられている。
【００９８】
以下、本発明を適用したゴルフパターの使用方法について図面を参照しながら説明し、本発明の理解に供する。
図７は、１ｍのパッティング時のパターの軌道を示す概略図である。
【００９９】
図７に示すように、ボール１９の半径は２．１３ｃｍ、カップ２０の半径は５．４ｃｍである。また、ボール１９とカップ２０の間の距離は１００ｃｍ（１ｍ）であり、ボール１９とカップ２０を結ぶ線を目標線２１とする。また、ボール１９の右側にパター１を示している。
【０１００】
また、許容角ラインの軌道２２は、目標線２１と５．６１度の角度をなす軌道であり、ボール１９の位置で、目標線２１と交わるものとなっている。また、パター１のフェース面３を目標線２１に対して直交する向きで配置した際に、許容角ライン１０の延長線を示した軌道でもある。この５．６１度の角度はパター１の最大許容入射角となる。
【０１０１】
また、カップ２０の半径とボール１９の半径の差は３．２７ｃｍである。よって、パッティングでボール１９をカップ２０に入れるためには、打ち出されたボール１９の中心点が、カップ２０の中心点から３．２７ｃｍ以内の距離を転がることが必要となる。また、カップ２０にボール１９が入る際のボール１９が転がる軌道２３は、目標線に対して１．８７度の角度をなしている。
【０１０２】
以下、パター１の使用手順を説明する。
【０１０３】
まず、パター１のフェース面３を目標線２１に対して直角の向きにして、パター１をボール１９の真横に置く。また、ボール１９の中心点と、パター１のスウィートエリアライン１２の位置を合わせる。これにより、インパクト時にスウィートエリアで打ち出しやすくなる。
【０１０４】
また、プレーヤーは、許容角ライン１０の延長線である軌道２２をイメージし、軌道２２に沿った方向をストローク方向とする。また、プレーヤーはストローク方向と平行な向きにスタンスをとる。パター１のフェース面２の向きと、ストローク方向との間はねじれが生じた状態となる。
【０１０５】
次に、プレーヤーは、パター１の後方側に伸びる軌道２２をイメージする。軌道２２が目標線２１となす角度は５．６１度であり、この角度の範囲内、即ち、目標線から軌道２２の範囲内でパター１を引いてバックストロークする。
【０１０６】
例えば、パッティングのバックストロークする距離を１０ｃｍとした場合には、図７の右下の図に示すように、目標線２１から０．９８ｃｍの距離の分離れた位置が、角度５．６１度の位置となる。言い換えれば、バックストローク時に真っ直ぐ引くことを意識しても、約１ｃｍのズレが許容されることとなる。
【０１０７】
バックストロークの状態から、軌道２２のストローク方向に沿って、パター１を振り、目標線２１に対してフェース面３が直角の向きになるようにボール１９をインパクトする。そして、そのまま軌道２２に沿ってフォロースルーする。
【０１０８】
パター１に打ち出されたボール１９は、パター１が軌道２２に沿っていれば、目標線２１に対して出射角１．８７度の方向に転がっていき、カップ２０に入るものとなる。なお、打ち出し時のインパクトの強さは、ボール１９がカップ２０の位置に届くものであれば充分である。
【０１０９】
なお、前述した手順では、パター１をアウトサイドインの軌道でストロークするものであったが、パター１の使用はこれに限定されるものではない。逆に、パター１のヒール側の許容角ライン１０を用いて、インサイドアウトの軌道でストロークし、カップ２０の右側を狙うことも可能である。
【０１１０】
また、ここでは、距離１ｍのパッティングを例に説明しているが、カップとの距離や、ボールを打ち出したい方向に対応させて、許容角ライン１０や補助ライン１１の角度を決めることが可能である。
【０１１１】
上記の手順のように、パター１のバックストローク時には、許容角ライン１０に対応した軌道２２の範囲内、即ち、パター１を５．６１度以下の入射角の角度範囲内でストロークすることで、ボール１９をカップ２０に入れることができる。
【０１１２】
パター１は、従来品のパターのように、パターを真っ直ぐ引く軌道に限定するものではなく、一定範囲内での軌道を許容するものである。よって、プレーヤーは、余裕を持ってパッティングに臨むことが可能となる。
【０１１３】
プレーヤーはパッティング時のイメージとして、例えば、以下のイメージを持つことができる。まず、目標線２１上のカップ２０の中心位置から軌道２２側に垂線を引くと、その間の距離は９．８ｃｍとなる。この９．８ｃｍの距離と、カップの半径との差は４．４ｃｍである。
【０１１４】
つまり、軌道２２は、カップ２０の外周部分から外側にさらに４．４ｃｍの距離を通るものであり、これをもとにイメージ用のカップ２４を考えると、カップ２４は半径が７．６ｃｍとなる。
【０１１５】
これは、実際のカップ２０の半径の約１．５倍の大きさであり、プレーヤーは、軌道２２に沿ってパッティングする際に、カップ２４をイメージして、その左縁方向にストロークすればよいものとなる。即ち、パター１を用いることで、バックストロークの軌道だけでなく、実際のカップより大きなカップをイメージしながらパッティングをすることが可能となる。
【０１１６】
また、本発明を適用したパター１では、自身のパッティング時のフェース面３の向きの評価を行うこともできる。この評価では、ボール１９とのインパクト時に、フェース面３が目標線２１に対して直角ではなく、オープンまたはクローズの向きになっている状態を確認することができる。
【０１１７】
プレーヤーが、パター１の軌道２２に沿ってストロークしながらも、ボール１９が軌道２３の方向に転がらず、それよりもカップ２０から離れる方向に転がった場合には、インパクト時のフェース面３がクローズになっていたものと評価できる。
【０１１８】
また、逆に、パター１の軌道２２に沿ってストロークしながらも、ボール１９が軌道２３の方向に転がらず、それよりもカップ２０側に転がった場合には、インパクト時のフェース面３がオープンになっていたものと評価できる。
【０１１９】
このように、打ち出したボール１９の転がる軌道を確認することで、インパクト時のフェース面の向きを確認し、自身のインパクト時の動きを評価することができる。この方法は、カップの代わりに、目標方向に複数のボールを並べて、打ち出したボールと当たったボールの位置によっても評価することができる。
【０１２０】
以上のように、本発明を適用したゴルフパターはパッティングの成功率を高めることができるものとなっている。
また、本発明を適用したゴルフパターヘッドはパッティングの成功率を高めることができるものとなっている。
【符号の説明】
【０１２１】
１      パター
２      パターヘッド
３      フェース面
４      パター上面
５      凸部
６      シャフト
７      半円柱状の凹部
８      目標線平行ライン
９      フランジ側
１０      許容角ライン
１１      補助ライン
１２      スウィートエリアライン
１３      底面の略中央領域
１４      スウィートエリア
１５      リーディングエッジ側のトゥ側点
１６      トップエッジ側のトゥ側点
１７      トップエッジ側のヒール側点
１８      窪み
１９      ボール
２０      カップ
２１      目標線
２２      許容角ラインの軌道
２３      ボールが転がる軌道
２４      イメージ用のカップ
２５      補助ライン
２００      ボール
２０１      基準線
２０２      角度線
２０３      手動器具
２０４      加力面
２０５      メジャー
【図１】
2015039519.tif 000003
【図２】
2015039519.tif 000004
【図３】
2015039519.tif 000005
【図４】
2015039519.tif 000006
【図５】
2015039519.tif 000007
【図６】
2015039519.tif 000008
【図７】
2015039519.tif 000009
【図８】
2015039519.tif 000010